(57)【要約】【課題】ケーブル接続タイプの近接スイッチと主要部品を共用してコネクタ接続タイプの近接スイッチを安価に提供できるよう組立構造を改良する。【解決手段】筒形金属ケース１に検出コイル組立体３および検出回路のプリント板４を内装した検出ユニット１３をケーブル接続形近接スイッチとの共用部品として、該検出ユニットの金属ケースにコネクタユニット１４を結合してコネクタ接続タイプの近接スイッチを構成するようにし、ここでコネクタユニットはコネクタピン１６と一体化した透明樹脂製の筒形ハウジング１５の前端部に前記金属ケースの後端へ嵌入連結する継手部１５ａを形成し、さらに外周面には外部リードのコネクタを接続位置に保持するキャップナットの取付ねじ部１５ｄを形成する。【選択図】      図１
2005063699.tif 000002
【特許請求の範囲】
【請求項１】
筒形金属ケースに検出コイルおよび検出回路のプリント板を内装した検出ユニットと、該検出ユニットの金属ケースに結合したコネクタユニットとの組立体からなり、コネクタユニットはコネクタ部品と一体化した筒形ハウジングの前端部に前記金属ケースの後端へ嵌入して結合する継手部を形成し、さらに外周面には外部リードのコネクタを接続位置に保持するキャップナットの取付けねじ部を形成したことを特徴とする近接スイッチ。
【請求項２】
請求項１に記載の近接スイッチにおいて、コネクタユニットのハウジングを透明樹脂成形品として、検出ユニットのプリント板に搭載した動作表示灯の表示窓を兼用させたことを特徴とする近接スイッチ。
【発明の詳細な説明】
【０００１】
【発明の属する技術分野】
本発明は発振形の円筒形近接スイッチの組立構造に関する。
【０００２】
【従来の技術】
周知のように発振形近接スイッチは発振回路定数の変化を利用して検出体  （金属）  の接近を検出するものであり、その製品は用途に応じて使い分けるように角形，円筒形など各種形状のものがある。
次に、円筒形近接スイッチを例に、ケーブル接続タイプ（スイッチ本体から外部接続リードを直接引き出す），およびコネクタ接続タイプ（コネクタを介してスイッチ本体に外部接続リードを接続する）の従来製品の組立構造を図４および５に示す。各図において、１は外周面にねじ部（雄ねじ）１ａを形成した円筒形の金属ケース、２は金属ケース１の前面（検出面）に嵌着した樹脂製のコイルキャップ、３は検出コイル３ａをコア３ｂに巻装してコイルキャップ２に組合せた検出コイル組立体、４は検出回路のプリント板、５はプリント板４の支持部材、６はプリント板４を後記の封止樹脂から保護するための中ケース（樹脂ケース）、７はプリント板４に実装した動作表示灯（ＬＥＤ）である。
【０００３】
ここで、図４に示したケーブル接続タイプの近接スイッチでは、金属ケース１の後端に樹脂成形品になるリード引出カバー８を圧入して結合し、該カバー８を通して検出回路のプリント板４に接続した外部リード（ケーブル）９を外部に引き出すようにしている。なお、８ａは前記の動作表示灯７に対向してカバー周面に形成した表示窓部である。また、組立後は前記カバー８の後端開口を通じて金属ケース１の内部に封止樹脂を充填するようにしている。
そして、この近接スイッチを使用場所に設置するには、検出面を正面に突き出して取付板１０に貫挿した金属ケース１の周面ねじ部１ａにナット１１を螺合して締結する。
一方、図５に示したコネクタ接続タイプの近接スイッチでは、金属ケース１を後方に延長してこの延長部１ｂにコネクタ部品（コネクタピン）１２を組み込み、そのコネクタピン１２ａとプリント板４との間をリード線１３で接続している。また、金属ケース１の延長部１ｂの後部周面にはねじ部１ｃを形成しておき、外部リード線（図示せず）のコネクタ（ソケット）に付属するキャップナットをねじ込んで外部リードのソケットを接続位置に保持するようにしている。なお、金属ケース１の周面には動作表示灯７と対向する箇所に表示窓１ｄを設けており、さらに延長部の周面には樹脂注入口１ｅを開口して封止樹脂を充填するようにしている。
【０００４】
なお、角形の近接スイッチについては、特許文献１，特許文献２に示すようなコネクタ接続タイプの構成も知られている。
【０００５】
【特許文献１】
実開昭６１−１３１０３７号公報
【特許文献２】
実開昭６１−１３１０３８号公報
【０００６】
【発明が解決しようとする課題】
ところで、図４に示したケーブル接続タイプの近接スイッチと図５に示したコネクタ接続タイプの近接スイッチを比べると、金属ケース１の長さ寸法および形状が異なることから、ケース部品を共用できずに別々に製作，管理しており、そのために製品コストが高くなる。
本発明は上記の点に鑑みなされたものであり、その目的は製品のコストダウンを狙いに、ケーブル接続タイプの近接スイッチと主要部品を共用してコネクタ接続タイプの近接スイッチを安価に製作できるようその組立構造を改良した近接スイッチを提供することにある。
【０００７】
【課題を解決するための手段】
上記目的を達成するために、本発明によれば、筒形金属ケースに検出コイルおよび検出回路のプリント板を内装した検出ユニットと、該検出ユニットの金属ケースに結合したコネクタユニットとの組立体でコネクタ接続タイプの近接スイッチを構成するものとし、前記コネクタユニットはコネクタ部品と一体化した筒形ハウジングの前端部に前記金属ケースの後端へ嵌入して結合する継手部を形成し、さらに外周面には外部リードのコネクタを接続位置に保持するキャップナットの取付けねじ部を形成する（請求項１）。
また、前記構成の実施態様として、コネクタユニットのハウジングを透明樹脂成形品として、検出ユニットのプリント板に搭載した動作表示灯の表示窓を兼用させるようにする（請求項２）。
【０００８】
上記の構成によれば、検出ユニットを共用部品として、この検出ユニットにコネクタユニットを組合せることでコネクタ接続タイプの近接スイッチとなり、またコネクタユニットに代えて図４で述べたリード引出カバーを組合せることでケーブル接続タイプの近接スイッチとなる。これにより、部品の共用化が図れる。
また、コネクタユニットのハウジングを透明樹脂製とすることにより、ハウジングを透視して検出ユニットに装備した動作表示灯の動作状態を外部から目視確認できる。
【０００９】
【発明の実施の形態】
以下、本発明の実施の形態を図１〜図３に示す実施例に基づいて説明する。なお、図１は近接スイッチを検出ユニットとコネクタユニットとに分けた分解図、図２は組立状態図、図３は外形斜視図であり、各図において、図４，図５に対応する部材には同じ符号を付してその説明は省略する。
すなわち、図示実施例の近接スイッチは、検出ユニット１３とコネクタユニット１４との組立体から構成されている。ここで、検出ユニット１３は図４と同じ寸法の金属ケース１にコイルキャップ２，検出コイル組立体３，検出回路のプリント板４，基板の支持部材５，中ケース６，および動作表示灯７を組付けた構成になる。
【００１０】
一方、コネクタユニット１４は透明樹脂の成形品になるハウジング１５にコネクタ部品であるコネクタピン１６を一体にインサート成形したもので、ハウジング１５の前端部には検出ユニット１３の金属ケース１の後端に嵌入して結合する印籠式の継手部１５ａ，継手フランジ１５ｂ，およびシールパッキン１５ｃを形成し、後端部の外周面には図５に示したねじ部１ｃと同様に外部リード側のキャップナットを取付けるねじ部（雄ねじ）１５ｄが形成されている。なお、１５ｅは封止樹脂の注入口、１７はコネクタピン１６とプリント板４との間に接続する内部リード線である。
上記構成の検出ユニット１３，コネクタユニット１４は別々に製作し、近接スイッチの組立工程ではコネクタユニット１４の内部リード線１７を検出ユニット１３のプリント板４に接続した上で、コネクタユニット１４のハウジング１５の継手部１５ａを検出ユニット１３の金属ケース１の後端に嵌入して結合し、その後に樹脂注入口１５ｅを通じて金属ケース１に封止樹脂を充填してコネクタ接続タイプの製品が完成する。
【００１１】
なお、前記の検出ユニット１３を共用部品として、コネクタユニット１４を連結する代わりにプリント板４に外部接続リード（ケーブル）を直接接続した上で、金属ケース１の後端に図４で述べたリード引出カバー８を連結することにより、図４に示したケーブル接続タイプの近接スイッチを製作できる。
【００１２】
【発明の効果】
以上述べたように、本発明によれば、筒形金属ケースに検出コイルおよび検出回路のプリント板を内装した検出ユニットと、該検出ユニットの金属ケースに結合したコネクタユニットとを組合せてコネクタ接続タイプの近接スイッチを構成するものとし、コネクタユニットはコネクタ部品と一体化した筒形ハウジングの前端部に前記金属ケースの後端へ貫挿して結合する継手部を形成し、さらに外周面には外部リードのコネクタを接続位置に保持するキャップナットの取付けねじ部を形成したことにより、前記の検出ユニットをケーブル接続タイプの近接スイッチと共用でき、これにより部品の製作，管理コストを低減してタイプの異なる近接スイッチを安価に提供できる。
【００１３】
さらに、前記コネクタユニットのハウジングを透明樹脂製とすることで、検出ユニットのプリント板に搭載した動作表示灯の点灯状態を外部から目視確認でき、金属ケースに表示窓を設けた従来構造と比べて部品点数を削減できる。
【図面の簡単な説明】
【図１】本発明の実施例による近接スイッチの組立構造図で、検出ユニットとコネクタユニット分けた分解状態を表す断面図
【図２】図１における検出ユニットにコネクタユニットを結合した組立状態を表す図
【図３】図１の外観斜視図
【図４】従来におけるケーブル接続タイプの近接スイッチの組立構造を表す断面図
【図５】従来におけるコネクタ接続タイプの近接スイッチの組立構造を表す断面図
【符号の説明】
１    金属ケース
１ａ  ねじ部
３    ケースコイル組立体
４    検出回路のプリント板
７    動作表示灯
１３    検出ユニット
１４    コネクタユニット
１５    ハウジング
１５ａ  継手部
１５ｄ  ねじ部
１６    コネクタピン
【図１】
2005063699.tif 000003
【図２】
2005063699.tif 000004
【図３】
2005063699.tif 000005
【図４】
2005063699.tif 000006
【図５】
2005063699.tif 000007